(57)【要約】【課題】学習を行わず、簡便な方法で室内の省エネルギー化を精度よく図る。学習によって使用者の業務に支障が生じるのを回避する。【解決手段】省エネルギー制御装置１は遮蔽状態選択部１１を備える。遮蔽状態選択部１１は、記憶部１０に記憶された遮蔽状態のうちで、日時検出部８にて検出された現在の年月日時と同じ月日を含む所定期間の遮蔽状態の中から、環境条件の各要素の少なくともいずれかが現在の年月日時における環境条件の同種の要素と所定範囲内にあり、かつ、照明部３の消費電力と空調部４の消費電力との和が最小となる遮蔽状態を選択し、日射遮蔽部２が上記遮蔽状態に制御された後に消費電力検出部９にて検出された照明部３および空調部４の各消費電力を、そのときの年月日時、環境条件、上記遮蔽状態と対応付けて記憶部１０に記憶させる。【選択図】図１
2014103081.tif 000002
【特許請求の範囲】
【請求項１】
室内の消費電力の最小化を図る省エネルギー制御装置であって、
室内の照度を設定照度に制御する照明部と、
室内の温度を設定温度に制御する空気調和部と、
室内の温度を検出する温度検出部と、
室内への入射光の光量を検出する光量検出部と、
前記照明部の消費電力および前記空気調和部の消費電力をそれぞれ検出する消費電力検出部と、
現在の年月日時を検出する日時検出部と、
室内への日射の遮蔽状態を複数段階で調整する日射遮蔽部と、
初期値として、（１）過去の年月日時と、（２）室内の温度、入射光の光量、設定照度、設定温度を各要素として含む環境条件と、（３）前記照明部の消費電力および前記空気調和部の消費電力と、（４）前記日射遮蔽部の遮蔽状態と、を対応付けて記憶する記憶部と、
前記記憶部を参照して前記日射遮蔽部の遮蔽状態を選択する遮蔽状態選択部と、
選択された前記遮蔽状態に前記日射遮蔽部を制御する制御指示部とを備え、
前記遮蔽状態選択部は、前記記憶部に記憶された遮蔽状態のうちで、前記日時検出部にて検出された現在の年月日時と同じ月日を含む所定期間の遮蔽状態の中から、環境条件の各要素の少なくともいずれかが現在の年月日時における環境条件の同種の要素と所定範囲内にあり、かつ、前記照明部の消費電力と前記空気調和部の消費電力との和が最小となる遮蔽状態を選択し、前記日射遮蔽部が前記遮蔽状態に制御された後に前記消費電力検出部にて検出された前記照明部および前記空気調和部の各消費電力を、そのときの年月日時、環境条件、前記遮蔽状態と対応付けて前記記憶部に記憶させることを特徴とする省エネルギー制御装置。
【請求項２】
前記遮蔽状態選択部は、一定期間ごとに、前記記憶部に記憶された遮蔽状態の中から、前記照明部の消費電力と前記空気調和部の消費電力との和が最小となる遮蔽状態を選択し、選択した前記遮蔽状態において前記消費電力検出部にて検出された前記照明部および前記空気調和部の各消費電力を前記記憶部に記憶させることを特徴とする請求項１に記載の省エネルギー制御装置。
【請求項３】
前記制御指示部は、前記遮蔽状態選択部にて選択した遮蔽状態に応じて、前記設定照度および前記設定温度の少なくとも一方を調整することを特徴とする請求項１または２に記載の省エネルギー制御装置。
【請求項４】
前記光量検出部は、放射される太陽光に含まれる可視光および赤外光の各光量を検出し、
前記記憶部に記憶される前記環境条件には、前記可視光および前記赤外光の各光量が含まれていることを特徴とする請求項１から３のいずれかに記載の省エネルギー制御装置。
【請求項５】
前記光量検出部は、前記可視光を透過させる第１のフィルタと、前記赤外光に含まれる近赤外光を透過させる第２のフィルタと、前記第１のフィルタおよび前記第２のフィルタを透過した光をそれぞれ異なる領域で受光するセンサとを有していることを特徴とする請求項４に記載の省エネルギー制御装置。
【発明の詳細な説明】
【技術分野】
【０００１】
本発明は、室内の消費電力の最小化を図る省エネルギー制御装置に関するものである。
【背景技術】
【０００２】
近年、省エネルギー対策のため、窓ガラスの面積を広く取って室内に太陽光を多く取り込み、室内照明の点灯時間を削減する建物が増えている。しかし、このような建物では、窓ガラスの面積が増えることにより、室内に取り込まれる赤外線の量も増え、これが室温上昇につながる。室内に取り込まれる赤外線の量を制御すべく、窓ガラスの内側（室内側）にブラインドを設ける手法があるが、この場合は、照明と空調の消費電力が最小となるようにブラインドを制御することが望まれる。
【０００３】
上記のようにブラインドを制御する装置として、例えば特許文献１に開示されたものがある。特許文献１の装置では、天候（晴れ、曇り、雨）、季節（春夏秋冬）、ゾーン（東西南北）ごとに、複数のブラインド状態（開状態、中間状態、閉状態）を設定して、空調消費エネルギーと照明消費エネルギーとの和が最小となる最適なブラインド状態を学習し、記憶するようにしている。そして、実際のブラインドの制御時には、そのときの天候等に応じて最適なブラインド状態を検索し、その状態にブラインドを制御するようにしている。
【先行技術文献】
【特許文献】
【０００４】
【特許文献１】特開平７−１２７８９７号公報（請求項２、段落〔００４０〕〜〔００４８〕、図５〜図７等参照）
【発明の概要】
【発明が解決しようとする課題】
【０００５】
特許文献１の制御方法では、学習時の条件が天候ごとや季節ごと等に限られている。天候や季節等が同じであっても、温度等の自然条件は日々刻々と変化する。このため、省エネルギー制御の精度を上げようと思えば、学習の周期を短くして（例えば１日ごとや１時間ごとに学習を行って）最適なブラインド状態を取得し、パターン化する必要があるが、このような学習、パターン化には限界がある。このため、学習を行わずに簡便な方法でブラインドを制御して、室内の省エネルギー化を精度よく図ることが望まれる。また、室内での使用者の業務中に、ブラインドの角度を複数のパターンで制御してその都度消費電力を測定し、最適なブラインド状態を学習する場合は、使用環境に影響を与え、使用者の業務に支障が生じる。
【０００６】
本発明は、上記の問題点を解決するためになされたもので、その目的は、学習を行わず、簡便な方法で室内の省エネルギー化を精度よく図ることができるとともに、学習によって使用者の業務に支障が生じるのを回避することができる省エネルギー制御装置を提供することにある。
【課題を解決するための手段】
【０００７】
本発明に係る省エネルギー制御装置は、室内の消費電力の最小化を図る省エネルギー制御装置であって、室内の照度を設定照度に制御する照明部と、室内の温度を設定温度に制御する空気調和部と、室内の温度を検出する温度検出部と、室内への入射光の光量を検出する光量検出部と、前記照明部の消費電力および前記空気調和部の消費電力をそれぞれ検出する消費電力検出部と、現在の年月日時を検出する日時検出部と、室内への日射の遮蔽状態を複数段階で調整する日射遮蔽部と、初期値として、（１）過去の年月日時と、（２）室内の温度、入射光の光量、設定照度、設定温度を各要素として含む環境条件と、（３）前記照明部の消費電力および前記空気調和部の消費電力と、（４）前記日射遮蔽部の遮蔽状態と、を対応付けて記憶する記憶部と、前記記憶部を参照して前記日射遮蔽部の遮蔽状態を選択する遮蔽状態選択部と、選択された前記遮蔽状態に前記日射遮蔽部を制御する制御指示部とを備え、前記遮蔽状態選択部は、前記記憶部に記憶された遮蔽状態のうちで、前記日時検出部にて検出された現在の年月日時と同じ月日を含む所定期間の遮蔽状態の中から、環境条件の各要素の少なくともいずれかが現在の年月日時における環境条件の同種の要素と所定範囲内にあり、かつ、前記照明部の消費電力と前記空気調和部の消費電力との和が最小となる遮蔽状態を選択し、前記日射遮蔽部が前記遮蔽状態に制御された後に前記消費電力検出部にて検出された前記照明部および前記空気調和部の各消費電力を、そのときの年月日時、環境条件、前記遮蔽状態と対応付けて前記記憶部に記憶させることを特徴としている。
【０００８】
上記の構成によれば、遮蔽状態選択部により、記憶部に記憶された遮蔽状態のうち、現在の年月日時と同じ月日を含む所定期間の遮蔽状態の中から、環境条件が現在のものと類似で、かつ、照明部の消費電力と空気調和部の消費電力との和が最小となる遮蔽状態が選択される。そして、制御指示部により、日射遮蔽部は選択された上記の遮蔽状態に制御される。
【０００９】
このように、過去の同時期のデータを参照して、類似の環境条件で消費電力が最小となる遮蔽状態を選択することにより、消費電力が最小となるような遮蔽状態をわざわざ学習によって取得しなくても、現在の環境条件に最適な遮蔽状態に日射遮蔽部を制御できる。したがって、学習を行わない簡便な手法で、室内の省エネルギー化を図ることができる。また、使用者が室内で業務を行っている最中に遮蔽状態を変化させて最適な遮蔽状態を取得するという学習期間を設けなくても済むので、使用者の業務に支障が生じることもない。
【００１０】
また、選択された遮蔽状態に日射遮蔽部が制御された後に、そのときの遮蔽状態での照明部および空気調和部の実際の消費電力がそれぞれ検出され、年月日時、環境条件、遮蔽状態と対応付けて記憶部に記憶されるので、次に記憶部を参照して、ある環境条件での照明部の消費電力と空気調和部の消費電力との和が最小となる遮蔽状態を選択するときの精度が向上する。これにより、室内の省エネルギー化を精度よく図ることができる。
【００１１】
前記遮蔽状態選択部は、一定期間ごとに、前記記憶部に記憶された遮蔽状態の中から、前記照明部の消費電力と前記空気調和部の消費電力との和が最小となる遮蔽状態を選択し、選択した前記遮蔽状態において前記消費電力検出部にて検出された前記照明部および前記空気調和部の各消費電力を前記記憶部に記憶させてもよい。
【００１２】
この場合、最適な遮蔽状態の選択と記憶部への消費電力の記憶とを、連続的に行う場合に比べて、記憶部のメモリ容量の増大を抑えることができる。
【００１３】
前記制御指示部は、前記遮蔽状態選択部にて選択した遮蔽状態に応じて、前記設定照度および前記設定温度の少なくとも一方を調整するようにしてもよい。
【００１４】
このようにすることで、照明部および空気調和部の少なくとも一方における消費電力をさらに低減して、室内の省エネルギー化をさらに図ることができる。
【００１５】
前記光量検出部は、放射される太陽光に含まれる可視光および赤外光の各光量を検出し、前記記憶部に記憶される前記環境条件には、前記可視光および前記赤外光の各光量が含まれていることが望ましい。
【００１６】
可視光および赤外光の各光量は天候に応じて変化するため、可視光および赤外光の各光量を検出することで、そのときの天候を考慮した省エネルギー制御を行うことができる。
【００１７】
前記光量検出部は、前記可視光を透過させる第１のフィルタと、前記赤外光に含まれる近赤外光を透過させる第２のフィルタと、前記第１のフィルタおよび前記第２のフィルタを透過した光をそれぞれ異なる領域で受光するセンサとを有していてもよい。
【００１８】
第１および第２のフィルタとセンサとを組み合わせることで、可視光の光量と赤外光（近赤外光）の光量とを同時に検出することができる。
【発明の効果】
【００１９】
本発明によれば、室内の消費電力が最小となる日射遮蔽部の遮蔽状態を学習によって取得することなく、簡便な方法で室内の省エネルギー化を精度よく図ることができる。また、使用者の業務中に学習を行うということがないので、使用者の業務に支障が生じることもない。
【図面の簡単な説明】
【００２０】
【図１】本発明の実施の一形態に係る省エネルギー制御装置の概略の構成を示すブロック図である。
【図２】上記省エネルギー制御装置が備える光量検出部の一構成例を示す平面図である。
【図３】人間の目の分光視感効率と、上記光量検出部の第１のフィルタの分光透過特性とを示すグラフである。
【図４】上記省エネルギー制御装置が備える記憶部の記憶内容の一例を示す説明図である。
【図５】上記省エネルギー制御装置の動作の流れを示すフローチャートである。
【図６】消費電力検出後の上記記憶部の記憶内容を示す説明図である。
【図７】本発明の他の実施の形態に係る省エネルギー制御装置の概略の構成を示すブロック図である。
【発明を実施するための形態】
【００２１】
〔実施の形態１〕
本発明の実施の一形態について、図面に基づいて説明すれば、以下の通りである。
【００２２】
図１は、本実施形態の省エネルギー制御装置１の概略の構成を示すブロック図である。省エネルギー制御装置１は、室内の消費電力の最小化を図るものであり、日射遮蔽部２と、照明部３と、空調部４と、制御装置本体５とを備えている。日射遮蔽部２、照明部３および空調部４は、制御装置本体５によって監視または制御される。
【００２３】
日射遮蔽部２は、室内への日射の遮蔽状態を複数段階で調整するものであり、例えば外部からの信号に基づいて開閉角度が制御されるブラインド（電動ブラインドを含む）で構成されている。日射遮蔽部２の遮蔽状態としては、ここでは説明の理解がしやすいように、太陽光を室内に取り込む開状態および太陽光を遮断する閉状態の２段階を考える。なお、日射遮蔽部２は、透過率を変更することが可能な窓であってもよい。
【００２４】
照明部３は、室内の照度を設定照度に制御するものであり、例えば部屋の天井に設置される照明器具（蛍光灯）を想定することができる。なお、照明部３は、ＬＥＤまたは電球を用いた照明器具や、スタンド照明を含んでいてもよい。室内の照度は、机上面のセンサで検出する場合や、机や床で反射された光を天井面に設置のセンサで検出する場合がある。
【００２５】
空調部４は、室内の温度を設定温度に制御する空気調和部であり、例えば冷暖房装置がこれに相当する。
【００２６】
制御装置本体５は、温度検出部６と、光量検出部７と、日時検出部８と、消費電力検出部９と、記憶部１０と、遮蔽状態選択部１１と、制御指示部１２とを有している。
【００２７】
温度検出部６は、室内の温度を検出するものであり、例えば温度センサで構成されている。
【００２８】
光量検出部７は、室内への入射光の光量を検出するものであり、特に、放射される太陽光に含まれる可視光および赤外光の各光量を検出する。光量検出部７は、日射遮蔽部２によって太陽光が遮蔽されない場所（例えば日射遮蔽部２よりも窓ガラス側）に位置している。
【００２９】
ここで、本明細書では、可視光の波長域は３８０ｎｍ〜７７０ｎｍとし、赤外光の波長域は７７０ｎｍ〜１ｍｍとする。赤外光は、さらに近赤外光（波長０．７７μｍ〜１．４μｍ）、中赤外光（波長１．４μｍ〜５μｍ）、遠赤外光（波長５μｍ〜１ｍｍ）に分けられる。
【００３０】
図２は、光量検出部７の一構成例を示す平面図である。本実施形態では、光量検出部７は、第１のフィルタ２１と、第２のフィルタ２２と、センサ２３とを有して構成されている。
【００３１】
第１のフィルタ２１は、可視光を透過させ、他の波長域の光を遮断するフィルタである。第２のフィルタ２２は、赤外光に含まれる近赤外光を透過させ、他の波長域の光を遮断するフィルタであり、透過波長域の異なる複数の領域２２ａ・２２ｂに分割されている。領域２２ａは、中心波長８５０ｎｍの光（波長８００〜９００ｎｍ）を透過させ、領域２２ｂは、中心波長１０２０ｎｍの光（波長９００〜１１００ｎｍ）を透過させる。
【００３２】
センサ２３は、例えばシリコンフォトダイオードで構成されており、第１のフィルタ２１および第２のフィルタ２２を透過した光をそれぞれ異なる領域で受光することにより、可視光の光量および赤外光（特に近赤外光）の光量をそれぞれ検出する。センサ２３からは、受光した各光量に応じた電気信号が遮蔽状態選択部１１に出力される。
【００３３】
このように、第１のフィルタ２１と、第２のフィルタ２２と、センサ２３とを組み合わせることで、可視光の光量と赤外光（近赤外光）の光量とを同時に検出することができる。
【００３４】
図３は、人間の目の分光視感効率と、第１のフィルタ２１の分光透過特性とを示すグラフである。同図に示すように、第１のフィルタ２１は、人間の目の分光視感効率に対応する分光透過特性を有している。ここで、分光視感効率は、比視感度とも言い、エネルギーが同じ場合の最大感度（通常は１）に対する波長ごとの感度の比率（相対値）のことを指す。なお、人間は、目というセンサによって周囲の明暗を感じ、目は、可視域の各波長成分を含む光に対して応答する光検出器と見ることができることから、その波長応答特性を分光視感効率と言うこともできる。明るさの感覚は、人間の目が受ける光の波長によって異なり、黄色や緑色の光は、同じ強さの赤色や青色の光より明るく感じる。つまり、人間が最も明るく感じる光は、波長５５５ｎｍ付近の黄緑系の光である。
【００３５】
このように、第１のフィルタ２１が、人間の目の分光視感効率に対応する分光透過特性を有しており、人間が目で見て最も明るいと感じる波長（５５５ｎｍ付近）の光を最も多く透過させる。したがって、第１のフィルタ２１を介してセンサ２３が可視光を受光することにより、センサ２３にて、人間の明るさの感覚に合わせた明るさ（光量）を検出することができる。なお、第１のフィルタ２１を、Ｒ（赤）、Ｇ（緑）、Ｂ（青）の各色光をそれぞれ透過させるフィルタで構成し、センサ２３にてＲＧＢの各色光の光量をもとに明るさ算出を行ってもよい。
【００３６】
日時検出部８は、現在の年月日時を検出するものである。日時検出部８は、それ自体が時計機能を有していてもよいし、ネットワーク上から時刻情報を入手してもよい。上記の年月日時の「時」は、分や秒まで含む概念であってもよい。
【００３７】
消費電力検出部９は、照明部３の消費電力および空調部４の消費電力をそれぞれ測定、検出する測定器（検出器）である。
【００３８】
記憶部１０は、初期値として、（１）過去の年月日時、（２）環境条件、（３）照明部３の消費電力および空調部４の消費電力、（４）日射遮蔽部２の遮蔽状態、を対応付けて記憶している。また、記憶部１０は、現在の年月日時において、日射遮蔽部２の遮蔽状態が所定の状態（開状態または閉状態）に制御されたときに、消費電力検出部９にて検出された照明部３および空調部４の各消費電力を、上記の年月日時、環境条件、上記遮蔽状態と対応付けて記憶する。したがって、記憶部１０の記憶内容は、装置の設置時には初期値のみであるが、そこから本実施形態の省エネルギー制御を行うごとに（省エネルギー制御を一定期間ごとに行うのであれば、その一定期間ごとに）増大していく。このような記憶部１０は、例えば不揮発性メモリ（ハードディスク、光ディスク、半導体メモリなどを含む）で構成されている。
【００３９】
ここで、上記の環境条件には、室内の温度、入射光の光量（可視光、赤外光の各光量）、設定照度、設定温度が含まれるが、このほかにも、建物の立地場所、室内の窓の方角、窓の開口率、窓の透過率、室内の容積、外気温などの情報（要素）が含まれていてもよい。また、年月日時のうち、年だけが異なる過去の複数のデータにおいて、環境条件、消費電力、遮蔽状態が同じであるものについては、それぞれのデータを記憶するのではなく、これらをまとめて回数（同じデータが何回（何年分）あるか）として記憶するようにしてもよい。この場合は、記憶すべきデータ量を低減できる。
【００４０】
図４は、記憶部１０の初期の記憶内容の一例を示している。このように、記憶部１０には、過去の年月日時と、そのときの環境条件として、室内の温度（室温）、可視光量、赤外光量、設定温度および設定照度と、そのときの日射遮蔽部２の複数の遮蔽状態と、各遮蔽状態において、室内の照度を設定照度にするのに必要な照明部３の消費電力と、室内の温度を設定温度にするのに必要な空調部４の消費電力とがデフォルト値として予め記憶されている。なお、上記のデフォルト値は、建物の立地場所、窓の方角、窓の開口率、窓の透過率、過去の天候記録、空調の性能、照明の性能から算出することができる。
【００４１】
なお、図４では、過去の一部の年月日時においてのみ、環境条件や消費電力を図示しているが、過去の他の年月日時においても同様に、環境条件や消費電力などの情報が記憶部１０に記憶されているものとする。また、図４の可視光量および赤外光量については、ある値を基準とした相対的な値でそれぞれ示している。
【００４２】
遮蔽状態選択部１１は、記憶部１０を参照して、現在の年月日時の環境条件に最適な日射遮蔽部２の遮蔽状態、つまり、照明部３の消費電力と空調部４の消費電力との和が最小となる遮蔽状態を選択するものである。
【００４３】
制御指示部１２は、遮蔽状態選択部１１にて選択された遮蔽状態に日射遮蔽部２を制御するものである。なお、遮蔽状態選択部１２および制御指示部１３は、例えばＣＰＵ（Central Processing Unit ）として一体的に構成されていてもよいし、別々のＣＰＵで構成されていてもよい。
【００４４】
次に、本実施形態の省エネルギー制御装置１の動作について説明する。図５は、本実施形態の省エネルギー制御装置１の動作の流れを示すフローチャートである。まず、省エネルギー制御装置１の電源（主電源）がＯＮされると（Ｓ１）、温度検出部６は、現在の室内の温度を検出し、光量検出部７は、放射される太陽光に含まれる可視光および赤外光の各光量を検出し、日時検出部８は、現在の年月日時を検出する（Ｓ２）。
【００４５】
そして、遮蔽状態選択部１１は、記憶部１０に記憶された情報を参照し、記憶部１０に記憶された遮蔽状態のうちで、日時検出部８にて検出された現在の年月日時と同じ月日を含む所定期間（例えば１週間）の遮蔽状態の中から、環境条件の各要素の少なくともいずれかが現在の年月日時における環境条件の同種の要素と所定範囲内にあり、かつ、照明部３の消費電力と空調部４の消費電力との和が最小となる遮蔽状態を選択する（Ｓ３）。なお、同種の要素とは、所定範囲内かどうかを判断する２つの要素が同じ種類であることを指し、例えば、２つの要素の一方が室内の温度であれば、他方も室内の温度であることを指す。環境条件に含まれる可視光の光量、赤外光の光量、設定照度、設定温度についても上記と同様に同種の要素を考えるものとする。
【００４６】
例えば、現在の年月日時が２０１２年７月１日９時００分である場合、遮蔽状態選択部１１は、記憶部１０に記憶された１年前の２０１１年７月１日およびその前後３日間（２０１１年６月２８日〜２０１１年７月４日）のデータを参照する。そして、２０１１年６月２８日〜２０１１年７月４日のデータのうち、環境条件に含まれる室内の温度、可視光の光量、赤外光の光量、設定照度、設定温度のいずれかの要素が、現在の年月日時における環境条件の同種の要素と所定範囲内にある遮蔽状態をまず選択する。このとき、室内の温度が現在の温度と所定範囲内にある遮蔽状態を選択してもよいし、可視光の光量が現在の可視光の光量と所定範囲内にある遮蔽状態を選択してもよいし、２つ以上の要素について現在の要素と所定範囲内にある遮蔽状態を選択してもよい。これにより、過去のデータの中から、環境条件が現在の環境条件と類似である遮蔽状態だけが選択される。
【００４７】
現在と類似の環境条件について選択された遮蔽状態が１つだけである場合、その遮蔽状態に対応する照明部３の消費電力および空調部４の消費電力も１種類であるため、上記遮蔽状態を選択した時点で、照明部３の消費電力と空調部４の消費電力との和が最小となる遮蔽状態を選択したことになる。一方、現在と類似の環境条件について選択された遮蔽状態が２つ以上である場合、遮蔽状態選択部１１は、その中から、照明部３の消費電力と空調部４の消費電力との和が最小となる遮蔽状態を選択する。
【００４８】
例えば、現在と類似の環境条件についての遮蔽状態として、２０１１年７月１日９時００分の２つの遮蔽状態（開状態、閉状態）が選択された場合、照明部３の消費電力と空調部４の消費電力との和は、開状態では６．１ｋＷｈであり、閉状態では６．２ｋＷｈである。この場合、遮蔽状態選択部１１は、照明部３の消費電力と空調部４の消費電力との和が最小となる遮蔽状態として、開状態を選択することになる。
【００４９】
次に、制御指示部１２は、Ｓ３にて選択された遮蔽状態に日射遮蔽部２を制御する（Ｓ４）。その後、消費電力検出部９は、選択された上記遮蔽状態での照明部３および空調部４の実際の消費電力をそれぞれ検出する（Ｓ５）。
【００５０】
そして、遮蔽状態選択部１１は、消費電力検出部９にて検出された照明部３および空調部４の各消費電力を、そのときの年月日時、環境条件、上記遮蔽状態と対応付けて記憶部１０に記憶させる（Ｓ６）。図６は、このときの記憶部１０の記憶内容の一例を示している。このように、記憶部１０には、初期値で記憶している内容に加えて、現在の年月日時（２０１２年７月１日９時００分）、環境条件、遮蔽状態（例えば開状態）での照明部３および空調部４の実際の消費電力が記憶される。なお、図６では、例として、実際に検出した消費電力が過去の同時期の消費電力と若干異なる場合について示しているが、勿論、過去の同時期の消費電力と同じになることもあり得る。
【００５１】
省エネルギー制御装置１の電源がＯＦＦされるまで、Ｓ２以降の動作が繰り返される（Ｓ７、Ｓ８）。Ｓ７にて電源がＯＦＦされない場合、Ｓ８にて、Ｓ２の温度等の検出から所定時間（例えば３０分や１時間）が経過したかどうかが判断され、所定時間が経過している場合はＳ２に戻る。なお、Ｓ８にて所定時間の経過を判断する代わりに、室温がＳ２での検出時から所定量だけ変化したかを判断するようにしてもよい。
【００５２】
以上のように、現在の日時を検出して、記憶部１０の過去の同時期のデータを参照し、現在と類似の環境条件で照明部３および空調部４の各消費電力の和が最小となる遮蔽状態を選択することにより、消費電力が最小となる遮蔽状態をわざわざ学習によって取得しておかなくても、現在の環境条件に最適な遮蔽状態に日射遮蔽部２を制御できる。したがって、学習を行わない簡便な手法で、室内の省エネルギー化を図ることができる。また、使用者が室内で業務を行っている最中の学習が不要なので、使用者の業務に支障が生じることもない。
【００５３】
また、選択された遮蔽状態に日射遮蔽部２が制御された後に、そのときの遮蔽状態での照明部３および空調部４の実際の消費電力がそれぞれ検出され、年月日時、環境条件、遮蔽状態と対応付けて記憶部に記憶されるので、次に記憶部１０を参照して、ある環境条件での照明部３の消費電力と空調部４の消費電力との和が最小となる遮蔽状態を選択するときの精度が向上する。つまり、複数の遮蔽状態のうち、照明部３の消費電力と空調部４の消費電力との和が最小になる遮蔽状態がどれかを、実測値（実際に検出された消費電力の値）に基づいて精度よく判断することができる。これにより、室内の省エネルギー化を精度よく図ることができる。
【００５４】
また、例えば、建物の周囲に別の建物が建設され、省エネルギー制御装置１が設置された当時とは、室内への日射の状態が変化し、照明部３および空調部４の各消費電力が過去の同じ月日とは異なるようになった場合、学習による従来の省エネルギー制御では、再度学習を行って最適な遮蔽状態を見い出す必要がある。これに対して、本実施形態の制御では、周囲の環境（日射の当たり具合い）が装置の設置当時とは変化しても、実際の消費電力を検出して記憶部１０に記憶させて、今後の省エネルギー制御に役立てるので、周囲の環境の変化にも容易にかつ十分に対応することができる。
【００５５】
また、環境条件に含まれる室内の温度、可視光および赤外光の光量は、日々刻々と変化するが、短時間単位（例えば１分単位）で大きく変化するわけではない。したがって、遮蔽状態の選択および記憶部１０への情報の記憶を連続して行っても、データ量が増えるだけである。上記のように、最適な遮蔽状態の選択と記憶部１０への消費電力の記憶とを、一定期間（例えば３０分ごと、１時間ごと）に行うようにすれば（Ｓ８参照）、連続的に行う場合に比べて、記憶部１０のメモリ容量の増大を抑えることができる。また、遮蔽状態の選択による省エネルギー制御を効率よく行えることにもなり、遮蔽状態選択部１１の動作負担を軽減することもできる。
【００５６】
また、光量検出部７は、日射量（太陽からの放射エネルギー量）を検出する日射計であってもよいが、日射計では、室内に入射する太陽光の波長分布、すなわち分光放射照度（単位波長あたりの照射量）までは測定せず、可視光の光量や赤外光の光量は不明である。可視光の光量は、室内の明るさ（照度）に関連し、可視光の光量が多くなると（例えば晴れの日の場合）、室内の照度を設定照度にするのに必要な照明の消費電力は少なくなり、可視光の光量が少なくなると（例えば曇りの日の場合）、室内の照度を設定照度にするのに必要な照明の消費電力は多くなる。一方、赤外光の光量は、室内の空調（温度）に関連し、赤外光の光量が多くなると（例えば夏場で晴れの場合）、室内の温度を設定温度にするのに必要な空調の消費電力は多くなり、赤外光の光量が少なくなると（例えば夏場で曇りの日の場合）、室内の温度を設定温度にするのに必要な空調の消費電力は少なくなる。このように、天候に応じて可視光および赤外光の各光量は変動し、必要な照明部３および空調部４の各消費電力も変化することになる。
【００５７】
この点、本実施形態では、光量検出器７が可視光および赤外光の各光量を検出する構成とし、記憶部１０に記憶される環境条件に、可視光および赤外光の各光量が含まれているので、そのときの天候に応じた最適な照明部３および空調部４の各消費電力を考慮して、省エネルギー制御を行うことができる。
【００５８】
なお、本実施形態では、現在の年月日時と過去に同時期の遮蔽状態の中から所定の遮蔽状態を選択するにあたり、上記同時期として、現在の年月日時の１年前の日およびその前後３日間を考えているが、現在の年月日時と年のみが異なる日を含む所定期間や、現在の年月日時を含む過去の所定期間（例えば現在の日を含む過去１週間）であってもよい。これらの期間であれば、季節的にも、また、一日の気温の変化の仕方も現在と似ていると考えられるため、現在の年月日時と過去に同時期であると考えて、本実施形態の制御を適用することができる。なお、上記の所定期間は、少なくとも１日であればよい。
【００５９】
また、現在の年月日時と過去に同時期の遮蔽状態の中から、一日の赤外光の光量変化が現在と似ているもの（時間経過に対する現在と過去との赤外光の光量差が一定範囲内のもの）や、現在の時刻と過去に同時刻前後で赤外光の光量が一定範囲内のものを選択し、その中からさらに、照明部３の消費電力と空調部４の消費電力との和が最小となる遮蔽状態を選択するようにしてもよい。
【００６０】
なお、本実施形態では、最適な遮蔽状態の選択と記憶部１０への消費電力の記憶とを、一定期間ごとに行っているが、検出した赤外光の光量値が日射遮蔽部２の前回の制御時と比較して所定値以上変化している場合のみ、最適な遮蔽状態の選択および記憶を行ってもよい。
【００６１】
〔実施の形態２〕
本発明の他の実施の形態について、図面に基づいて説明すれば、以下の通りである。
【００６２】
図７は、本実施形態の省エネルギー制御装置１の概略の構成を示すブロック図である。本実施形態の省エネルギー制御装置１は、実施の形態１の構成において、制御指示部１２が、遮蔽状態選択部１１にて選択した遮蔽状態に応じて、照明部３の設定照度および空調部４の設定温度の少なくとも一方を調整するようにしている。
【００６３】
例えば、遮蔽状態選択部１１にて選択した遮蔽状態が閉状態である場合、そのような遮蔽状態となるように日射遮蔽部２を制御すると、赤外光が日射遮蔽部２で遮蔽される分、室内の温度上昇が抑制される。この場合、夏場であれば、空調部４の設定温度を少し上げても室内を快適に保つことができる。このように設定温度を上げることで、室内の省エネルギー化をさらに図ることができる。
【００６４】
また、遮蔽状態選択部１１にて選択した遮蔽状態が開状態である場合、そのような遮蔽状態となるように日射遮蔽部２を制御すると、可視光が日射遮蔽部２を介して室内に取り込まれるため、照明部３の設定照度を少し下げても、室内の明るさが大きく低下することはない。この場合、設定照度を下げることで、室内の省エネルギー化をさらに図ることができる。
【００６５】
また、日射遮蔽部２が開状態のとき、可視光および赤外光の両方も室内に取り込まれるため、冬場であれば、設定照度を少し下げても、室内の明るさが大きく低下することはなく、同時に、設定温度を少し下げても室内を温かく保つことができる。したがって、この場合は、照明部３の設定照度および空調部４の設定温度を両方とも下げて、室内の省エネルギー化をより一層図ることができる。
【００６６】
以上の各実施の形態では、日射遮蔽部２の遮蔽状態が、開状態、閉状態の２段階である例について説明したが、開状態と閉状態との間の中間状態を加えた３段階であってもよく、それ以上の多段階であってもよい。また、究極的には、日射遮蔽部２は遮蔽状態が連続して変化するものであってもよい。これらの場合でも、上述した各実施の形態の省エネルギー制御を行うことができる。
【００６７】
なお、空調部４の消費電力については、室内の温度、赤外光の光量および遮蔽状態に加え、照明による室温上昇や外気温のデータも考慮して設定してもよい。
【産業上の利用可能性】
【００６８】
本発明は、日射遮蔽部の遮蔽状態を制御して、室内の照明部および空調部のトータルの消費電力を最小に抑える省エネルギー制御装置に利用可能である。
【符号の説明】
【００６９】
１      省エネルギー制御装置
２      日射遮蔽部
３      照明部
４      空調部（空気調和部）
６      温度検出部
７      光量検出部
８      日時検出部
９      消費電力検出部
１０      記憶部
１１      遮蔽状態選択部
１２      制御指示部
２１      第１のフィルタ
２２      第２のフィルタ
２３      センサ
【図１】
2014103081.tif 000003
【図２】
2014103081.tif 000004
【図３】
2014103081.tif 000005
【図４】
2014103081.tif 000006
【図５】
2014103081.tif 000007
【図６】
2014103081.tif 000008
【図７】
2014103081.tif 000009